(57)【要約】【課題】メモリーカードを複数装着したメモリーモジュールは形状的に単体のメモリーカードに比べ汎用性に劣るため、迅速に記録した内容を確認するのに支障がある。【解決手段】映像音声信号の入力手段と、前記映像音声信号を圧縮する第１の圧縮部と、前記第１の圧縮部の圧縮率よりも低い圧縮率で前記映像音声信号を圧縮する第２の圧縮部と、少なくとも１枚の第１のメモリーカードと少なくとも１枚の第２のメモリーカードとが装着されたメモリーモジュールとを有する記録再生装置であって、前記メモリーモジュールは前記記録再生装置から着脱可能であり、前記第１のメモリーカードは前記メモリーモジュールから着脱可能であり、前記第１の圧縮部で圧縮された信号を前記メモリーモジュール中の前記第１のメモリーカードに記録すると共に、前記第２の圧縮部で圧縮された信号を前記メモリーモジュール中の前記第２のメモリーカードに記録する。【選択図】図１
2005175569.tif 000002
【特許請求の範囲】
【請求項１】
映像音声信号の入力手段と、
前記映像音声信号を圧縮する第１の圧縮部と、
前記第１の圧縮部の圧縮率よりも低い圧縮率で前記映像音声信号を圧縮する第２の圧縮部と、
少なくとも１枚の第１のメモリーカードと少なくとも１枚の第２のメモリーカードとが装着されたメモリーモジュールとを有する記録再生装置であって、
前記メモリーモジュールは前記記録再生装置から着脱可能であり、
前記第１のメモリーカードは前記メモリーモジュールから着脱可能であり、
前記第１の圧縮部で圧縮された信号を前記メモリーモジュール中の前記第１のメモリーカードに記録すると共に、前記第２の圧縮部で圧縮された信号を前記メモリーモジュール中の前記第２のメモリーカードに記録する記録再生装置。
【請求項２】
前記第１のメモリーカード及び前記第２のメモリーカードの枚数配分を任意に設定することが可能な請求項１記載の記録再生装置。
【請求項３】
映像音声信号の入力手段と、
前記映像音声信号を圧縮する第１の圧縮部と、
前記第１の圧縮部の圧縮率よりも低い圧縮率で前記映像音声信号を圧縮する第２の圧縮部と、
少なくとも１枚の第１のメモリーカードを含む複数のメモリーカードが装着されたメモリーモジュールとを有する記録再生装置であって、
前記メモリーモジュールは前記記録再生装置から着脱可能であり、
前記第１のメモリーカードは前記メモリーモジュールから着脱可能であり、
前記第１の圧縮部で圧縮された信号を前記メモリーモジュール中の前記第１のメモリーカードに記録すると共に、前記第２の圧縮部で圧縮された信号を前記メモリーモジュール中の前記複数のメモリーカードに記録する記録再生装置。
【請求項４】
前記複数のメモリーカード中の前記第１のメモリーカードの枚数配分を任意に設定することが可能な請求項３記載の記録再生装置。
【請求項５】
前記第１の圧縮部及び前記第２の圧縮部は、圧縮率を任意に設定することが可能な請求項１または３記載の記録再生装置。
【発明の詳細な説明】
【技術分野】
【０００１】
本発明は、メモリーカードに記録を行う記録再生装置に関する。
【背景技術】
【０００２】
映像や音声などの記録データをメモリーカード等の記録媒体に記録再生する映像記録再生装置においては、記録時に記録データの圧縮処理が行われる。ここで圧縮率を高くして記録時間を長くしようとすれば、記録された映像や音声の劣化が大きくなる。すなわち、映像や音声などの記録データの圧縮率と品質とはトレードオフの関係にある。
【０００３】
そこで、これらの記録再生装置において、単独のメモリーカードを複数枚装着して全体の容量を大きくした一体型のモジュールを形成する事により、圧縮率を高くすることなく記録時間を長くする工夫が行われている。単独のメモリーカードを複数枚装着することにより、容量はその枚数に応じた量になり、記録時間もそれに伴って増加する。また、単独のメモリーカードを１枚ずつ記録再生装置に装着する場合に対し、一体型のモジュールの形に予めしておくことにより、記録再生装置への挿入または接続が１回で済み、使い勝手が向上する（例えば、特許文献１参照。）。
【０００４】
図２と図３は、従来の形態を示すための説明図である。１はメモリーカードに記録される映像や音声信号の入力手段である。テレビの映像や音声を記録再生する装置であれば、放送を受信するためのチューナーやそこから得られた信号をデジタルに変換するためのＡＤ変換器がこれにあたる。ビデオムービーであればカメラやマイク、そこから得られた信号をデジタルに変換するためのＡＤ変換器がこれにあたる。２はデジタル信号をメモリーカードという限られた容量の媒体に記録するための前準備としてサイズを圧縮するための圧縮部である。３は複数のメモリーカードを装着することが可能なメモリーモジュールである。４〜７は３のメモリーモジュールに装着されるメモリーカードである。１０は記録再生装置であり、３のメモリーモジュールが挿入され、それに対して記録再生を行う。
１の映像・音声発生手段から得られた信号は、２の圧縮部においてメモリーカードという限られた容量の媒体に記録するための前準備としてサイズが圧縮される。圧縮された信号はメモリーカード４〜７に対して送られるが、その場合の伝送方法は、メモリーカードに順番に信号が送られメモリーカードの１枚ずつに順番に記録されていく場合や、各メモリーカードに同時に同じ信号が送られ記録される場合、などやり方は様々であるが、連続した動画を長時間記録するという目的においては、順番に信号が送られるという方法が有効である。
【特許文献１】特開平１０−２７６３９３号公報
【発明の開示】
【発明が解決しようとする課題】
【０００５】
記録時間を長くするために、メモリーカードを複数装着しメモリーモジュールを形成しているわけであるが、その一方で、メモリーモジュールの形成の仕方によっては、使い勝手が悪い面が出てくる。記録した映像を一刻も早く確認したいが、記録再生装置は引き続き記録に使いたいとする。その場合、記録の終わったメモリーモジュールを取り出して別の記録再生装置を探して再生を行うことになる。この場合、複数のメモリーカードを装着し記録時間を長くしたいとの希望によりメモリーカードを多数装着できるような形にしようとすれば、メモリーモジュール自体の形状として大きくなり、それを挿入可能な記録再生装置自体が専用のものを使わざるを得なくなる。専用のものとなれば、再生を行う機器を用意しにくくなる。
【０００６】
メモリーモジュールからメモリーカードを１枚取り外して確認しようと思っても、何枚ものメモリーカードに対して連続して記録が行われているのであれば、目的の内容を記録している部分がどのメモリーカードに入っているのか予測が付きにくく、希望の記録内容をさがしにくいし、メモリーカードの複数回の差し替えを余儀なくされる可能性があり使い勝手が悪い。
【０００７】
本発明はこのような問題点に鑑み、記録した内容を速やかに確認することできる記録再生装置を提供することを目的とする。
【課題を解決するための手段】
【０００８】
上記課題を解決するために本発明は、メモリーカードに記録される映像や音声信号などの発生手段と、複数のメモリーカードを装着することが可能なメモリーモジュールと、メモリーモジュールに装着されるメモリーカードと、圧縮率を高めてサイズを小さく圧縮するための第１の圧縮部と、前記映像や音声信号などを使用者が本来欲している品質（すなわち、第１の圧縮部よりも低圧縮率）で圧縮するための第２の圧縮部とを有する記録再生装置としたものである。つまり、使用者が本来欲している品質でサイズを圧縮した上で１枚または複数のメモリーカードに記録を行うと同時に、さらに圧縮率を高めてサイズを小さく圧縮した記録を行う。高圧縮で記録されたメモリーカードはメモリーモジュールから脱着可能になっている。
【発明の効果】
【０００９】
本発明の記録再生装置は、使用者が低圧縮で記録されたメモリーモジュールを再生に使用できる記録再生装置がすぐに利用不可能であったとしても、高圧縮で記録されたメモリーカードをメモリーモジュールから取り外すことにより、取り外したメモリーカードの内容を再生して確認することができ、撮った映像や音声などをより汎用性の高い再生機器にて再生して確認することが可能になるという利点がある。
【発明を実施するための最良の形態】
【００１０】
本発明の実施の形態について、図１を参照して説明する。図１は、本発明の実施の形態における記録再生装置のブロック図であって、１〜７は図２と同様であるので説明は省略する。８は、映像や音声などを圧縮部２で行う圧縮処理の圧縮率よりもデータサイズが小さくなるように、より高い圧縮率で圧縮するための圧縮部である。たとえば、圧縮部２でＭＰＥＧ２圧縮を行い、圧縮部８でＭＰＥＧ４圧縮を行うことがこれにあたる。図１の一例において圧縮部８からの信号はメモリーカード７にのみ接続されており、他のメモリーカードに比べて高圧縮率の映像や音声などが記録されるような構成になっている。映像・音声信号入力手段１から入力された映像や音声などは、圧縮部２と圧縮部８の両方に並行して入力される。
【００１１】
本実施の形態の記録再生装置は、圧縮率の異なる２種類の圧縮部を持っている。圧縮部２からの、圧縮部８よりも低圧縮率の記録データが３枚のメモリーカード４〜６に対して順次記録されるのと同時並行的に、圧縮部８からの、圧縮部２よりも高圧縮率の記録データは、メモリーカード７に対して記録される。使用者が記録が終了し記録内容を再生しようとした場合、メモリーモジュール３がそのまま挿入できる機器が利用できメモリーカード４〜６の内容を順次再生可能であればよいが、そうでなかった場合、メモリーカード７のみを取り外して、携帯電話や携帯型再生機器、ＤＶＤレコーダなど、メモリーカード７の規格に対応したより汎用性の高い機器で再生可能となるのである。これにより、品位的にはメモリーモジュール３の記録内容には劣るものの、記録された映像や音声などの内容確認が迅速に可能である。それにより、例えば取材内容の過不足、良俗の判断、時間の長短など、迅速な判断が可能になり次の行動内容の決定におおいに役立つ。最終的に使用する映像や音声などはもちろんメモリーモジュール３に残っており、メモリーカード７に記録された、高圧縮率のデータよりも高品位のものが利用できるため、高圧縮率のメモリーカード７のものを見てある程度安心できるものが入っていたとしたらそれよりも高品位であることは確実なので心理的に安心することが出来る。また、同じ内容を２系統で記録することになるため、最悪何らかの理由で一方が損失してももう一方でカバーできるという利点もある。
【００１２】
なお、本実施の形態の記録再生装置では、メモリーモジュール３に装着されるメモリーカードは全部で４枚としたが、何枚でも実施可能である。また、全４枚のうち、３枚を低圧縮率用、１枚を高圧縮率用としたが、高圧縮率の記録データを記録するためのメモリーカードを少なくとも１枚指定しさえすれば、この配分も自由に変更可能である。また、メモリーカードを低圧縮率用と高圧縮率用に明確に分けなくても、低圧縮率のデータを記録しているメモリーカードの中に高圧縮率のものを混在させる形でも実施可能である。その場合は、高圧縮率のデータの内容を確認するために、一旦メモリーカードのどれかを取り外すので、メモリーモジュールとしては連続の記録データのどこかが一旦分断されることになるが、高圧縮率の記録データを確認後、取り外したメモリーカードをメモリーモジュールに戻せば、再び低圧縮率のデータを再生可能なメモリーモジュールとして使用可能である。
【００１３】
なお、本実施の記録再生装置では、第一の圧縮部と、第二の圧縮部は、圧縮率を任意に設定することも可能である。
【００１４】
なお、本実施の形態の記録再生装置では、メモリーカードに記録される映像や音声信号などの発生手段を設けたが、これについては外部から入力して記録することも可能である。
【００１５】
なお、実用化されているメモリーカードにも種類がいろいろとあるが、本実施の記録再生装置では、メモリーモジュールに装着されるメモリーカードは、１種類でも複数種類でも可能である。
【産業上の利用可能性】
【００１６】
本発明は、メモリーカードに記録を行う記録再生装置において、より汎用の機器で記録した内容の確認が容易になりすぐ次の行動を決定しやすくなるため、業務用の記録再生装置において特に有効である。
【図面の簡単な説明】
【００１７】
【図１】本発明の記録再生装置の１実施の形態を示したブロック図
【図２】従来の記録再生装置のブロック図
【図３】従来の記録再生装置の概要を示す図
【符号の説明】
【００１８】
１  映像・音声信号発生手段
２  圧縮部
３  メモリーモジュール
４〜７  メモリーカード
８  圧縮部（高圧縮率）
１０  記録再生装置
【図１】
2005175569.tif 000003
【図２】
2005175569.tif 000004
【図３】
2005175569.tif 000005